(57)【要約】      （修正有）【課題】第１パネルと第４パネルの対向縁が平行する良品な箱体を形成することができるようにしたフォルダグルアを提供することである。【解決手段】縦罫線により区分された４枚のパネルＰ１乃至Ｐ４および一側のパネルＰ４の側端に連設された接合代Ｐ５を有する段ボールシートＳ０を一方向に搬送し、その搬送中において両側のパネルＰ１、Ｐ４の内側の縦罫線の部分をプレス手段２０により押し潰して折曲げ強度を弱め、その強度が弱められた部分を上記縦罫線に沿って設けられた折曲げガイドに沿って折曲げるようにして、寸法精度の高い矩形状の良好な扁平な箱体Ａ０が得られるようにする。【選択図】図１
2007223051.tif 000002
【特許請求の範囲】
【請求項１】
罫線により区分された４枚のパネルおよびその一側のパネルの側端に連設された接合代を有する段ボールシートをシート搬送装置によって一方向に搬送し、その搬送中において、両側のパネルを、その内側の罫線に沿って対向する方向にほぼ１８０°折曲げ、前記接合代と他側のパネルの重なり部を互に接合して扁平な箱体を形成するフォルダグルアにおいて、
前記段ボールシートがシート搬送装置に送り込まれてから両側のパネルがほぼ１８０°折曲げられるまでの段ボールシートの搬送路に、段ボールシートの両側のパネルの内側の罫線周辺部を扁平状に押し潰すプレス手段を設けたことを特徴とするフォルダグルア。
【請求項２】
前記プレス手段が、段ボールシートの両側のパネルの内側の罫線に沿って設けられた左右一対の折曲げガイドと、その折曲げガイドに沿って段ボールシートの両側のパネルが折曲げられる際に、両側のパネルの内側の罫線周辺部を折曲げガイドに押付けて扁平に押し潰す複数のフランジ付きローラとからなり、そのフランジ付きローラの前記折曲げパネルと対向するフランジ内面をパネルの折曲げ角度に対応するテーパ面とし、下流側のフランジ付きローラに至るに従って、折曲げガイドに対する間隔を小さくした請求項１に記載のフォルダグルア。
【発明の詳細な説明】
【技術分野】
【０００１】
この発明は、接合代を一側に有する扁平な段ボールシートの両側部の折曲げと接着とを行なって扁平な箱体を形成するフォルダグルアに関するものである。
【背景技術】
【０００２】
扁平な箱体の形成用素材として、図９(Ｉ)に示した段ボールシートＳ0 が従来から知られている。この段ボールシートＳ0 は、第１縦罫線ａ1乃至第４縦罫線ａ4により区分された第１パネルＰ1乃至第４パネルＰ4と接合代Ｐ5 とを有し、第１パネルＰ1 乃至第４パネルＰ4 の一方の端縁に横罫線ｂ1 を介して蓋フラップＦ1 が連設され、かつ、他方の端縁に横罫線ｂ2 を介して底フラップＦ2 が連設される。
【０００３】
上記のような段ボールシートＳ0 から扁平な箱体を形成するフォルダグルアとして、特許文献１に記載されたものが従来から知られている。
【０００４】
上記フォルダグルアは、上記段ボールシートＳ0 を一方向に搬送させつつ両側の第１パネルＰ1 と第４パネルＰ4 とを第１縦罫線ａ1 と第３縦罫線ａ3 に沿ってそれぞれ対向する方向に１８０°折曲げ、接合代Ｐ5 と第１パネルＰ1 の重なり部を互に接着して、図９(II)に示すような扁平な箱体Ａ0 を形成するようにしている。
【特許文献１】実開平６−２１９２６号公報
【発明の開示】
【発明が解決しようとする課題】
【０００５】
ところで、特許文献１に記載されたフォルダグルアにおいては、段ボールシートＳ０の搬送路両側に設けられた固定の折曲げバーとの接触によって両側の第１パネルＰ1 および第４パネルＰ4 を高速移動させながら折曲げるため、折曲げバーとの接触部に作用する摩擦抵抗により、第１パネルＰ1 および第４パネルＰ4 に傾きが生じて、第１パネルＰ1 と第４パネルＰ4 とが図１０に示すように、相対的に傾斜する状態で第１パネルＰ1 と接合代Ｐ5 とが接着され、不良な扁平な箱体Ａ1 が形成されるという問題があった。
【０００６】
この発明の課題は、第１パネルと第４パネルの対向縁が平行し、正規の寸法となる良品な箱体を形成することができるようにしたフォルダグルアを提供することである。
【課題を解決するための手段】
【０００７】
上記の課題を解決するために、この発明においては、罫線により区分された４枚のパネルおよびその一側のパネルの側端に連設された接合代を有する段ボールシートをシート搬送装置によって一方向に搬送し、その搬送中において、両側のパネルを、その内側の罫線に沿って対向する方向にほぼ１８０°折曲げ、前記接合代と他側のパネルの重なり部を互に接合して扁平な箱体を形成するフォルダグルアにおいて、前記段ボールシートがシート搬送装置に送り込まれてから両側のパネルがほぼ１８０°折曲げられるまでの段ボールシートの搬送路に、段ボールシートの両側のパネルの内側の罫線周辺部を扁平状に押し潰すプレス手段を設けた構成を採用したものである。
【０００８】
ここで、プレス手段として、段ボールシートの両側のパネルの内側の罫線に沿って設けられた左右一対の折曲げガイドと、その折曲げガイドに沿って段ボールシートの両側のパネルが折曲げられる際に、両側のパネルの内側の罫線周辺部を折曲げガイドに押付けて扁平に押し潰す複数のフランジ付きローラとからなり、そのフランジ付きローラの前記折曲げパネルと対向するフランジ内面をパネルの折曲げ角度に対応するテーパ面とし、下流側のフランジ付きローラに至るに従って、折曲げガイドに対する間隔を小さくした構成のものを採用することができる。
【０００９】
プレス手段として、上記のように、折曲げガイドと複数のフランジ付きローラとからなるものを採用することによって、段ボールシートは、複数のローラによって徐々に扁平に押し潰されるため、段ボールシートを破損させることなくスムーズに押し潰すことができると共に、両側のパネルの内側の罫線周辺部を確実に扁平状に押し潰すことができるので罫線周辺部の強度を弱くすることができ、その弱くなった部分が折曲げガイドに沿って折曲げられるため、折曲げ部位を常にほぼ一定とすることができる。
【発明の効果】
【００１０】
上記のように、段ボールシートがシート搬送装置に送り込まれてから両側のパネルがほぼ１８０°折曲げられるまでの段ボールシートの搬送路にプレス手段を設け、そのプレス手段によって段ボールシートの両側のパネルの罫線周辺部を扁平状に押し潰すようにしたので、段ボールシートの押し潰し部位での折曲げ強度を弱めることができる。このため、両側のパネルの折曲げ時、中しんの段形状の構造に影響されることなく、その折曲げ部位をほぼ一定とすることができ、両側のパネルの対向縁が平行する寸法精度の高い良品な箱体を形成することができる。
【発明を実施するための最良の形態】
【００１１】
以下、この発明の実施形態を図面に基づいて説明する。図１および図２に示すように、図９(Ｉ)に示す段ボールシートＳ０ はシート搬送装置１によって矢印で示す一方向に搬送される。
【００１２】
シート搬送装置１は、左右一対の上部搬送ベルト２と、左右一対の下部搬送ベルト３を有している。
【００１３】
一対の上部搬送ベルト２の一方は、段ボールシートＳ０ の第２パネルＰ2 の第１縦罫線ａ1 側の側部と対応する位置に設けられ、他方は、段ボールシートＳ０の第３パネルＰ3 の第３縦罫線ａ3 側の側部と対応する位置に設けられている。
【００１４】
上部搬送ベルト２のそれぞれには、図４乃至図６に示すように、全体にわたって吸着孔４が形成されている。また、図７に示すように、上部搬送ベルト２の下側のキャリア側ベルト２ａ上にはサクションボックス５が設けられ、そのサクションボックス５の下側のベルト案内板５ａにキャリア側ベルト２ａの移動方向に長く延びるスリット６が形成されている。
【００１５】
このため、サクションボックス５の内部エアを吸引すると、キャリア側ベルト２ａの吸着孔４に吸引力が付与され、段ボールシートＳ０ はキャリア側ベルト２ａにより吸着されて搬送移動される。
【００１６】
図２に示すように、下部搬送ベルト３は上部搬送ベルト２より長さが短く、その搬入端の位置が図１に示すように、上部搬送ベルト２の搬入端の位置と上下でほぼ一致するようにして各上部搬送ベルト２の下方に設けられている。
【００１７】
下部搬送ベルト３の上側のキャリア側ベルト３ａは上部搬送ベルト２のキャリア側ベルト２ａとで段ボールシートＳ０ を上下から挟持するようになっており、段ボールシートＳ０ は上部搬送ベルト２のキャリア側ベルト２ａによる吸着と、上部搬送ベルト２のキャリア側ベルト２ａと下部搬送ベルト３のキャリア側ベルト３ａの挟持とによって下流側に搬送される。
【００１８】
図３および図４に示すように、段ボールシートＳ０の搬送路の下には、段ボールシートＳ０の搬送方向に長く延びる左右一対の垂直状の折曲げガイド７が設けられている。この一対の折曲げガイド７の先端は、形成しようとする箱体Ａ０の幅寸法(図９(II)に示す第２パネルＰ２と第３パネルＰ３のそれぞれの外側端部間の寸法)とほぼ等しい間隔をおいて設けられ、その一方は、段ボールシートＳ０に形成された第１縦罫線ａ1とほぼ対応し、他方は第３縦罫線ａ３とほぼ対応する位置に設けられている。
【００１９】
図１および図３に示すように、一対の上部搬送ベルト２のそれぞれ外側方には、段ボールシートＳ０ の第１パネルＰ1 および第４パネルＰ4 のそれぞれを第１縦罫線ａ1および第３縦罫線ａ3に沿って下向きに９０°折曲げる左右一対のパネル折曲げバー８が設けられている。
【００２０】
パネル折曲げバー８は、段ボールシートＳ０の搬送方向に長く延び、その上流側の一端は、上流側に向けて上り勾配をもって傾斜して、シート搬送装置１によって搬送される段ボールシートＳ０の第１パネルＰ１および第４パネルＰ４の上側に臨み、下流側の他端は前記垂直状の折曲げガイド７の下流側端の外側方に位置するよう設けられている。
【００２１】
段ボールシートＳ０ の第１パネルＰ1 および第４パネルＰ4 のそれぞれは、上記パネル折曲げバー８との接触により第１縦罫線ａ1および第３縦罫線ａ3に沿って下向きに９０°折曲げられる。
【００２２】
図１に示すように、下向きに９０°折り曲げられた第１パネルＰ1 および第４パネルＰ4のそれぞれは、上記パネル折曲げバー８と、そのパネル折曲げバー８の下流側の他端部上に上流側の一端部が位置するパネル折曲げベルト９とによって最終的にほぼ１８０°折り曲げられる。
【００２３】
パネル折曲げベルト９の段ボールシートＳ０と対向する下側のキャリア側ベルト９ａは複数のベルト案内ローラ１０により案内されて捩りが付与され、そのキャリア側ベルト９ａの下流側の搬出端部は上部搬送ベルト２のキャリア側ベルト２ａと上下で対向する配置とされている。
【００２４】
図３乃至図６に示すように、左右一対の折曲げガイド７の下流側の他端部上には、その折曲げガイド７とでプレス手段２０を形成する複数のローラＲ１乃至Ｒｎが設けられている。複数のローラＲ１乃至Ｒｎと折曲げガイド７とで形成される上記プレス手段２０は、段ボールシートＳ０の第１縦罫線ａ１の周辺部および第３縦罫線ａ３の周辺部を扁平に押し潰すようになっている。
【００２５】
複数のローラＲ１乃至Ｒｎは、一端にフランジＦを有し、他端部にはローラ端を小径端とするテーパ部Ｔが設けられている。
【００２６】
この複数のフランジ付きローラＲ１乃至Ｒｎは、段ボールシートＳ０の搬送方向に間隔をおいて設けられ、そのフランジＦが第１パネルＰ１または第４パネルＰ４と左右で対向するようにして折曲げガイド７上に配置され、各フランジＦの第１パネルＰ１または第４パネルＰ４との対向内面は、第１パネルＰ１または第４パネルＰ４の折曲げ角度に対応するテーパ面ＦＴとされている。
【００２７】
また、複数のフランジ付きローラＲ１乃至Ｒｎは、下流側のフランジ付きローラＲｎに至るに従って、折曲げガイド７の上面および外側面に対する間隔が小さくなる配置とされ、その複数のフランジ付きローラＲ１乃至Ｒｎで折曲げガイド７へ押付けるようにして段ボールシートＳ０の第１縦罫線ａ１および第３縦罫線ａ３の周辺部の段形状を扁平に押し潰している。
【００２８】
図１および図８に示すように、シート搬送装置１の下流側端部の両側には、第１パネルＰ１および第４パネルＰ４の折曲げによって形成された扁平な箱体状の段ボールシートＳ０を図９(II)に示す箱体Ａ０の幅寸法になるよう成形する左右一対の成形ガイド３０が設けられている。
【００２９】
成形ガイド３０は、成形ベルト３１と、その成形ベルト３１の段ボールシートＳ０と対向するキャリア側ベルト３１ａの搬出側端部の背部に設けられたベルト案内板３２と、そのベルト案内板３２の下流側に設けられた、成形ベルト３１を案内する複数のローラ３３とからなっている。
【００３０】
左右一対の成形ガイド３０は、キャリア側ベルト３１ａの搬出端部における対向面間の間隔が箱体Ａ０の幅寸法と一致するような配置とされ、上記キャリア側ベルト３１ａの搬出端部において段ボールシートＳ０を規定の幅寸法に成形するようにしている。
【００３１】
なお、成形ガイド３０は上記のものに限定されるものではない。例えば、複数の溝付きローラを段ボールシートＳ０の搬送方向に間隔をおいて設け、その溝付きローラの溝によって扁平な箱体状の段ボールシートＳ０の外側端部を内方向および厚さ方向に徐々に押圧して規定の幅寸法になるように成形するものであってもよい。
【００３２】
実施の形態で示すフォルダグルアは上記の構造からなり、段ボールシートＳ０が上部搬送ベルト２と下部搬送ベルト３の搬入部間に送り込まれてくると、その段ボールシートＳ０は上部搬送ベルト２と下部搬送ベルト３とで上下から挟持されて、折曲げガイド７の上面に沿ってその搬送路の下流側に搬送される。
【００３３】
その搬送路を移動中、段ボールシートＳ０の第１パネルＰ１および第４パネルＰ４が折曲げバー８と接触し、その接触によって第１パネルＰ１および第４パネルＰ４が下向きに折り曲げられる。
【００３４】
上記第１パネルＰ１および第４パネルＰ４が９０°近く折曲げられる過程の中で、その段ボールシートＳ０は、折曲げガイド７との間隔が順次狭められているローラＲ１乃至Ｒｎの下方を通過し、その通過時、複数のローラＲ１乃至Ｒｎの押圧によって順次押圧され、第１縦罫線ａ１並びに第３縦罫線ａ３の周辺部の段形状が扁平状に押し潰される。
【００３５】
その押し潰しによって第１縦罫線ａ１並びに第３縦罫線ａ３の各周辺部の強度が弱くなり、その弱くなった部分が折曲げガイド７に沿って折曲げられるため、段形状の構造に影響を受けることなく、折曲げ部位は常にほぼ一定とされる。
【００３６】
第１パネルＰ１および第４パネルＰ４が下方にほぼ９０°折曲げられると、その第１パネルＰ１および第４パネルＰ４にパネル折曲げベルト９が接触し始め、そのパネル折曲げベルト９によって第１パネルＰ１および第４パネルＰ４はさらに同方向に折曲げられて最終的に１８０°折曲げられ、扁平な箱体状とされる。
【００３７】
この扁平な箱体状の段ボールシートＳ０は、図７および図８に示すように、左右一対の成形ガイド３０間に進入し、その成形ガイド３０により規定の幅寸法に成形されると共に、第１パネルＰ１が接合代Ｐ５に重ね合わされて接着剤で接合される。
【００３８】
成形ガイド３０による成形時、段ボールシートＳ０の第１縦罫線ａ１並びに第３縦罫線ａ３の各周辺部の強度は前記プレス手段２０によって予め弱められているため、上記成形ガイド３０によって効果的に寸法矯正され、極めて寸法精度が高く矩形状の良好な扁平な箱体Ａ０を得ることができる。
【００３９】
実施の形態で示すように、プレス手段２０により段ボールシートＳ０の第１縦罫線ａ１並びに第３縦罫線ａ３の各周辺部の段形状を押し潰して強度を弱め、その弱くなった部分を折曲げガイド７に沿って折曲げることによって、折曲げ部位を常にほぼ一定として段ボールシートＳ０をスムーズに精度よく折り曲げることができ、その折曲げ部位を成形ガイド３０で成形するようにしたので、極めて寸法精度が高い矩形状の良好な扁平な箱体Ａ０を得ることができる。
【００４０】
実施の形態では、段ボールシートＳ０の第１パネルＰ１および第４パネルＰ４を下向きに１８０°折り曲げるようにしたフォルダグルアを示したが、フォルダグルアはこれに限定されるものではなく、上記第１パネルＰ１および第４パネルＰ４を上向きに１８０°折り曲げるようにしたフォルダグルアであってもよい。
【００４１】
また、実施の形態では、段ボールシートＳ０の第１パネルＰ１および第４パネルＰ４がほぼ９０°折曲げられる比較的上流側の位置、すなわち折曲げの早い段階での位置にプレス手段２０を設けて第１縦罫線ａ１並びに第３縦罫線ａ３の各周辺部を扁平に押し潰すことによって、より精度よく正確に折曲げるようにしたが、プレス手段２０の位置は、これに限定されるものではなく、段ボールシートＳ０がシート搬送装置１に送り込まれて第１パネルＰ１および第４パネルＰ４がほぼ１８０°折曲げられるまでの位置であればよい。
【００４２】
さらに、プレス手段２０として、折曲げガイド７と複数のフランジ付きローラＲ１乃至Ｒｎとからなるものを示したが、プレス手段２０はこれに限定されるものではない。例えば、折曲げガイド７に至る段ボールシートＳ０の搬送路に上下で対向する一対のローラを段ボールシートＳ０の搬送方向に間隔をおいて設け、その一対のローラの対向間隔を下流側に至る一対のローラに従って次第に小さくし、各一対のローラでの第１縦罫線ａ１並びに第３縦罫線ａ３の周辺部分を徐々に押し潰すようにしたものであってもよい。
【図面の簡単な説明】
【００４３】
【図１】この発明に係るフォルダグルアの実施の形態を示す斜視図
【図２】図１の正面図
【図３】図２に示すプレス手段部の拡大図
【図４】図３のIV−IV線に沿った断面図
【図５】図３に示すプレス手段部の横断平面図
【図６】図５の平面図
【図７】図１に示す成形ガイド部の縦断側面図
【図８】扁平な箱体状の段ボールシートの成形状態を示す断面図
【図９】（Ｉ）は段ボールシートを示す斜視図、(II)は段ボールシートによって形成された扁平な箱体の斜視図
【図１０】不良な箱体を示す平面図
【符号の説明】
【００４４】
Ｓ０    段ボールシート
Ｐ5     接合代
ａ1     第１縦罫線
ａ2     第２縦罫線
ａ3     第３縦罫線
ａ4     第４縦罫線
１      シート搬送装置
７      折曲げガイド
２０    プレス手段
Ｒ１    ローラ
Ｒｎ    ローラ
【図１】
2007223051.tif 000003
【図２】
2007223051.tif 000004
【図３】
2007223051.tif 000005
【図４】
2007223051.tif 000006
【図５】
2007223051.tif 000007
【図６】
2007223051.tif 000008
【図７】
2007223051.tif 000009
【図８】
2007223051.tif 000010
【図９】
2007223051.tif 000011
【図１０】
2007223051.tif 000012